(57)【要約】      （修正有）【課題】携帯性を向上させる為、上下に二分割配置され、使用時には一方を元の状態まで摺動させることが可能なキーボードとしての入力装置を提供する。【解決手段】第一キーボード１４は、ケーシング１２に摺動可能に接続される。第二キーボード１６は、斜めに摺動可能な方法においてケーシング１０に接続され、第一キーボード１４に摺動可能に接続される。第一キーボード１４がケーシング１２に対して拡張位置に向かって摺動するとき、第一キーボード１４は、第二キーボード１６が第一キーボード１４に対して上向きに摺動するよう、第二キーボード１６をケーシング１２に対して斜めに摺動させる。第一キーボード１４がケーシング１２に対して折畳み位置に向かって摺動するとき、第一キーボード１４は、第二キーボード１６が第一キーボード１４に対して下向きに摺動するよう、第二キーボード１６をケーシング１２に対して斜めに摺動させる。【選択図】図７
0003177678.tif 000002
【実用新案登録請求の範囲】
【請求項１】
ケーシングと、
該ケーシングに摺動可能に接続される第一キーボードと、
斜めに摺動可能な方法において前記ケーシングに接続され且つ前記第一キーボードに摺動可能に接続される第二キーボードとを含み、
前記第一キーボードが前記ケーシングに対して拡張位置に向かって摺動するとき、前記第一キーボードは、前記第二キーボードが前記第一キーボードに対して上向きに摺動するよう、前記第二キーボードを前記ケーシングに対して斜めに摺動させ、前記第一キーボードが前記ケーシングに対して折畳み位置に向かって摺動するとき、前記第一キーボードは、前記第二キーボードが前記第一キーボードに対して下向きに摺動するよう、前記第二キーボードを前記ケーシングに対して斜めに摺動させる、
入力装置。
【請求項２】
前記第一キーボードが前記折畳み位置から前記拡張位置まで摺動するとき、前記第二キーボードは、前記ケーシングに対して斜めに摺動し、且つ、前記第二キーボードが前記第一キーボードと同じ平面で前記第一キーボードに接続される位置まで前記第一キーボードに対して上向きに摺動する、請求項１に記載の入力装置。
【請求項３】
前記第一キーボードが前記拡張位置から前記折畳み位置まで摺動するとき、前記第二キーボードは、前記ケーシングに対して斜めに摺動し、且つ、前記第二キーボードが前記第一キーボードの下に配置される位置まで前記第一キーボードに対して下向きに摺動する、請求項１に記載の入力装置。
【請求項４】
前記ケーシングに対する前記第一キーボードの摺動方向は、前記第一キーボードに対する前記第二キーボードの摺動方向に対して実質的に垂直である、請求項１に記載の入力装置。
【請求項５】
前記ケーシングの少なくとも１つの内壁が、少なくとも１つの傾斜ガイドレールを含み、前記第二キーボードは、摺動部材を含み、該摺動部材の一端は、前記第二キーボードの側に固定され、前記摺動部材の他端は、前記傾斜ガイドレール内に摺動可能に配置され、前記第二キーボードは、前記ケーシングに対して斜めに摺動し、且つ、前記第一キーボードが前記第二キーボードを摺動させるときの前記傾斜ガイドレール内の前記摺動部材の摺動を介して、前記第一キーボードに対して上向き又は下向きに摺動する、請求項１に記載の入力装置。
【請求項６】
前記第一キーボードは、第一フック構造を有し、前記第二キーボードは、第二フック構造を有し、前記第一キーボードは、前記第一キーボードが前記ケーシングに対して前記拡張位置に向かって摺動するとき、前記第一フック構造と前記第二フック構造との接続を介して前記第二キーボードを駆動する、請求項５に記載の入力装置。
【請求項７】
ケーシングと、
第一キーボードと、
第二キーボードとを含み、
前記ケーシングの少なくとも１つの内壁には、少なくとも１つの傾斜ガイドレールが形成され、
前記第一キーボードは、前記ケーシングに摺動可能に接続され、且つ、少なくとも１つの第一横方向ガイドレールと、長手ガイドレールとを有し、
前記第二キーボードは、
前記第二キーボードを前記第一キーボードに摺動可能に接続させるよう、前記第一横方向ガイドレール及び前記長手ガイドレールに沿って摺動するための第一摺動部材と、
斜めに摺動可能な方法において前記第二キーボードを前記ケーシングに接続させるために、前記傾斜ガイドレール内に摺動可能に配置される第二摺動部材とを含み、
前記第一キーボードが前記ケーシングに対して拡張位置に向かって摺動するとき、前記第一摺動部材が前記長手ガイドレールに沿って上向きに摺動するよう、前記第一摺動部材は、前記第二摺動部材を前記傾斜ガイドレールに沿って摺動させるために、前記第一横方向ガイドレールを通過して、前記長手ガイドレールに当接し、
前記第一キーボードが折畳み位置に向かって摺動するとき、前記第一摺動部材が前記長手ガイドレールに沿って下向きに摺動するよう、前記長手ガイドレールは、前記第二摺動部材を前記傾斜ガイドレールに沿って摺動させるために前記第一摺動部材に当接する、
入力装置。
【請求項８】
前記第一キーボードが前記折畳み位置から前記拡張位置まで摺動するとき、前記第一摺動部材は、前記第一横方向ガイドレールを通過し、次に、前記第二キーボードが前記第一キーボードと同じ平面で前記第一キーボードに接続される位置まで、前記長手ガイドレールに沿って上向きに摺動する、請求項７に記載の入力装置。
【請求項９】
前記第一キーボードが前記拡張位置から前記折畳み位置まで摺動するとき、前記第一摺動部材は、前記第二キーボードが前記第一キーボードの下に配置される位置まで、前記長手ガイドレールに沿って下向きに摺動する、請求項７に記載の入力装置。
【請求項１０】
前記長手ガイドレールは、前記第一横方向ガイドレールに対して実質的に垂直である、請求項７に記載の入力装置。
【請求項１１】
第二横方向ガイドレールが前記ケーシングに更に形成され、前記傾斜ガイドレールと拡張的に連絡され、前記第二摺動部材は、前記傾斜ガイドレールを通過した後、前記第二横方向ガイドレールに沿って摺動する、請求項７に記載の入力装置。
【請求項１２】
前記第二横方向ガイドレールは、前記第一横方向ガイドレールと実質的に平行である、請求項１１に記載の入力装置。
【請求項１３】
前記ケーシングの前記内壁は、案内部分を有し、前記第一キーボードの外表面が、その上に形成される対応する摺動スロットを有し、前記案内部分は、前記ケーシングに対して摺動するよう前記第一キーボードを案内するために前記摺動スロットと協働させられる、請求項７に記載の入力装置。
【請求項１４】
前記ケーシングの前記内壁は、前記案内部分に形成される係合部分を有し、少なくとも１つの対応する位置決め構造が、前記第一キーボードの前記摺動スロット内に形成され、前記係合部分は、前記ケーシングに対する前記第一キーボードの位置を固定するよう、前記位置決め構造と係合のために使用される、請求項１３に記載の入力装置。
【請求項１５】
前記第一キーボードが前記拡張位置に配置されるとき、前記係合部分は、前記第一キーボードを前記拡張位置で固定するために、前記位置決め構造と係合される、請求項１４に記載の入力装置。
【請求項１６】
前記第一キーボードが前記折畳み位置に配置されるとき、前記係合部分は、前記第一キーボードを前記折畳み位置で固定するために、前記位置決め構造と係合される、請求項１４に記載の入力装置。
【請求項１７】
前記係合部分は、突出する先端構造であり、前記位置決め構造は、対応する窪んだ孔構造である、請求項１４に記載の入力装置。
【請求項１８】
前記ケーシングは、前記第一キーボードを支持するための支持部分を有する、請求項７に記載の入力装置。
【考案の詳細な説明】
【技術分野】
【０００１】
本考案は、入力装置に関し、より具体的には、拡張操作又は折畳み操作を遂行するために、第一キーボード及びケーシングのガイドレールに対して摺動する第二キーボードの摺動部材を利用する、入力装置に関する。
【背景技術】
【０００２】
近年、携帯型電子機器（例えば、ＰＤＡ（携帯情報端末）又は携帯電話）が日常生活において広く使用されている。その携帯性を向上するために、通常、キーボードの省略又はキーボード容積の減少（例えば、キーボード上のキースイッチ数の減少）が携帯型電子装置に適用される。しかしながら、前記設計は事務処理作業を行うに際して使用者により多くの不便をもたらすのが普通である。よって、相応して、折畳み可能なキーボードが開発されている。
【０００３】
従来的な折畳み設計は、キーボードを折畳み可能にするために、キーボードの折畳み可能な区画の間に旋回可能に接続されるヒンジを利用する。しかしながら、前記設計は、ヒンジの配置の故に、複雑な構造を招き、キーボードの外観及び入力操作に影響を及ぼす。
【考案の概要】
【考案が解決しようとする課題】
【０００４】
本考案は従来技術の上記問題点を解決することを目的とする。
【課題を解決するための手段】
【０００５】
本発明は、ケーシングと、第一キーボードと、第二キーボードとを含む入力装置を提供する。第一キーボードは、ケーシングに摺動可能に接続される。第二キーボードは、斜めに摺動可能な方法においてケーシングに接続され、前記第一キーボードに摺動可能に接続される。第一キーボードがケーシングに対して拡張位置に向かって摺動するとき、第一キーボードは、第二キーボードが第一キーボードに対して上向きに摺動するよう、第二キーボードをケーシングに対して斜めに摺動させる。第一キーボードがケーシングに対して折畳み位置に向かって摺動するとき、第一キーボードは、第二キーボードが第一キーボードに対して下向きに摺動するよう、第二キーボードをケーシングに対して斜めに摺動させる。
【０００６】
本発明は、ケーシングと、第一キーボードと、第二キーボードとを含む入力装置を更に提供する。少なくとも１つの傾斜ガイドレールが、ケーシングの少なくとも１つの内壁の上に形成される。第一キーボードは、ケーシングに摺動可能に接続され、少なくとも１つの第一横方向ガイドレールと、長手ガイドレールとを有する。第二キーボードは、第一摺動部材と、第二摺動部材とを含む。第一摺動部材は、第二キーボードを第一キーボードに摺動可能に接続させるよう、第一横方向ガイドレール及び長手ガイドレールに沿って摺動させるために使用される。第二摺動部材は、斜めに摺動可能な方法において第二キーボードをケーシングに接続させるために、傾斜ガイドレール内に摺動可能に配置される。第一キーボードがケーシングに対して拡張位置に向かって摺動するとき、第一摺動部材は、第一摺動部材が長手ガイドレールに沿って上向きに摺動するよう、第一横方向ガイドレールを通過し、第二摺動部材を傾斜ガイドレールに沿って摺動させるために長手ガイドレールに当接する。第一キーボードが折畳み位置に向かって摺動するとき、長手ガイドレールは、第一摺動部材が長手ガイドレールに沿って下向きに摺動するよう、第二摺動部材を傾斜ガイドレールに沿って摺動させるために第一摺動部材に当接する。
【０００７】
本考案のこれらの及び他の目的は、様々な図面中に例示される好適実施態様の以下の詳細な記載を判読した後、当業者に疑いなく明らかになるであろう。
【図面の簡単な説明】
【０００８】
【図１】本考案の好適実施態様に従った拡張状態にある入力装置を示す斜視図である。
【図２】図１中のケーシングを示す拡大図である。
【図３】図１中の第一キーボードを示す拡大図である。
【図４】図１中の第二キーボードを示す拡大図である。
【図５】折畳み状態にある図１の入力装置を示す斜視図である。
【図６】第一キーボードが折畳み位置に配置されるときの図５中の入力装置を示す側面図である。
【図７】長手ガイドレールが第二キーボードの第一摺動部材に当接する位置まで摺動した図６中の第一キーボードを示す側面図である。
【図８】第一キーボードが拡張位置まで摺動したときの図７中の入力装置を示す側面図である。
【考案を実施するための形態】
【０００９】
本考案の好適実施態様に従った拡張状態にある入力装置の概略図である図１を参照すると、入力装置１０は、ケーシング１２と、第一キーボード１４と、第二キーボード１６とを含む。ケーシング１２は、第一キーボード１４と第二キーボード１６とを収容するために使用される。次に、図２、図３、及び、図４を参照すると、図２は、図１中のケーシング１２の拡大図であり、図３は、図１中の第一キーボード１４の拡大図であり、図４は、図１中の第二キーボード１６の拡大図である。図２、図３、及び、図４に示されるように、少なくとも１つの傾斜ガイドレール１８（図２中のケーシング１２の一方の側の３つが示されている）がケーシング１２の内壁２０の上に形成されている。第一キーボード１４は、少なくとも１つの第一横方向ガイドレール２２（図３中の第一キーボード１４の一方の側の１つが示されている）と、対応する長手ガイドレール２４とを有し、長手ガイドレール２４は、第一横方向ガイドレール２２と連絡する。第二キーボード１６は、少なくとも１つの第一摺動部材２６（図４中の第二キーボード１６の一方の側の１つが示されている）と、傾斜ガイドレール１８に対応する第二摺動部材２８とを含む。第二キーボード１６を第一キーボード１４に摺動可能に接続し得るよう、第一摺動部材２６は第一横方向ガイドレール２２及び長手ガイドレール２４に沿って摺動し得る。第二キーボード１６をケーシング１２に斜めに摺動可能な方法で接続し得るよう、第二摺動部材２８は傾斜ガイドレール１８内に摺動可能に配置される。その上、ケーシング１２は、対応する第二横方向ガイドレール３０を更に含み、第二横方向ガイドレール３０は、傾斜ガイドレール１８と拡張的に連絡する。従って、第二摺動部材２８は、傾斜ガイドレール１８を通過した後、第二横方向ガイドレール３０に沿って摺動し得る。この実施態様において、長手ガイドレール２４は、第一横方向ガイドレール２２に対して実質的に垂直であり、第二横方向ガイドレール３０は、第一横方向ガイドレール２２と実質的に平行であることが述べられなければならない。
【００１０】
その上、図２及び図３に示されるように、ケーシング１２の内壁２０は、少なくとも１つの案内部分３２（図２中のケーシング１２の一方の側の１つが示されている）と、対応する係合部分３４とを有し、係合部分３４は、ガイド部分３２の上に形成されている。摺動スロット３８が、係合部分３４に対応する第一キーボード１４の外表面３６の上に形成される。第一キーボード１４が、摺動スロット３８に沿うガイド部分３２の摺動を介して、ケーシング１２に沿って左向き及び右向きに摺動し得るよう、案内部分３２は、摺動スロット３８との協働のために使用される。位置決め構造４０が、係合部分３４に対応する第一キーボード１４の摺動スロット３８内に更に形成される。係合部分３４は、ケーシング１２に対する第一キーボード１４の位置を固定するよう、位置決め構造４０との係合のために使用される。この実施態様において、係合部分３４は、突出した突端構造であり、位置決め構造４０は、突出した突端構造に対応する窪んだ孔構造である。
【００１１】
入力装置１０の折畳み操作及び拡張操作のためのより詳細な記載を以下に提供する。先ず、折畳み状態にある図１中の入力装置１０の概略図である図５を参照すると、入力装置１０が図５に示されるような折畳み状態にあるとき、第一キーボード１４は、第二キーボード１６の上に積み重ねられ、便利な収納又は運搬のために、第二キーボード１６と共にケーシング内に収容される。
【００１２】
次に、図５、図６、図７、及び、図８を参照すると、図６は、第一キーボード１４が折畳み位置に配置されるときの図５中の入力装置１０の側面図であり、図７は、長手ガイドレール２４が第二キーボード１６の第一摺動部材２６に当接する位置まで摺動した図６中の第一キーボード１４の側面図であり、図８は、第一キーボード１４が拡張位置まで摺動したときの図７中の入力装置１０を示す側面図である。入力操作を行うために、使用者が入力装置１０を拡張することを欲するとき、使用者は図５中の第一キーボード１４を引っ張り、第一キーボード１４を図６に示されるような折畳み位置から図７に示されるような位置までケーシング１２に対して外向きに摺動させる必要があるだけである。この時点で、第一摺動部材２６が第一横方向ガイドレール２２を通過した後、長手ガイドレール２４は、第二キーボード１６の第一摺動部材２６に当接する。引き続き、使用者が第一キーボード１４を引っ張り続け、第一キーボード１４をケーシング１２に対して外向きに摺動させるならば、第二キーボード１６は、第一キーボード１４が図８に示されるような拡張位置まで引っ張られるまで、第一キーボード１４と共に摺動する。前記プロセスの間、図７及び図８に示されるように、第二キーボード１６の第二摺動部材２８は、傾斜ガイドレール１８に沿って斜めに摺動し、次に、第二横方向ガイドレール３０に沿って横方向に摺動する。同時に、第二キーボード１６の第一摺動部材２６も、第一キーボード１４の長手ガイドレール２４に沿って上向きに摺動する。そのような方法において、第一キーボード１４が図８に示されるような拡張位置まで引っ張られる。第二キーボード１６は、第二キーボード１６が（図１に示されるような）同じ平面で第一キーボード１４に接続される位置まで、上向きに摺動し得る。従って、後続の入力操作のために、有線又は無線的な方法において、拡張状態にある入力装置１０を、対応する電子装置（例えば、ＰＤＡ又は携帯電話）に電気的に接続し得る。
【００１３】
留意されるべきことは、図２及び図３に示されるように、ケーシング１２に対して外向きに摺動する第一キーボード１４のプロセスの間、ケーシング１２に対する第一キーボード１４の摺動をより滑らかにするために、ケーシング１２の案内部分３２を第一キーボード１４の摺動スロット３８と協働し得ることである。その上、第一キーボード１４が図８に示されるような拡張位置に配置されるとき、第一キーボード１４を拡張位置により堅実に固定するために、ケーシング１２の係合部分３４は、第一キーボード１４の係合スロット３８内の位置決め構造４０と同時に係合される。
【００１４】
その上、上述のように、第一キーボード１４が図８に示されるような拡張位置に配置されるとき、第二キーボード１６の第二摺動部材２８は、ケーシング１２の第二横方向ガイドレール３０内に配置され、ケーシング１２の案内部分３２は、第一キーボード１４の摺動スロット３８と協働させられ、ケーシング１２の係合部分３４は、第一キーボード１４の位置決め構造４０と係合される。同時に、第一キーボード１４の底部表面は、図２に示されるように、ケーシング１２の支持部分３５によって支持される。よって、入力装置１０が図１に示されるような拡張状態にあるとき、ケーシング１２は、第一キーボード１４及び第二キーボード１６をタイプしている間、使用者がより快適に感じるよう、第一キーボード１４及び第二キーボード１６の浮動を防止するのに十分な支持力を第一キーボード１４及び第二キーボード１６にもたらし得る。
【００１５】
他方、使用者が拡張状態にある入力装置１０を折り畳むことを欲するならば、使用者は、図１中の第一キーボード１４を押して、ケーシング１２に対して内向きに摺動させる必要があるだけである。このとき、長手ガイドレール２４は（図８に示されるように）依然として第一摺動部材２６に当接しているので、第二キーボード１６は、第一キーボード１４が図７に示されるような位置まで押されるまで、第一キーボード１４と共に摺動し得る。第一キーボード１４と共に摺動する第二キーボード１６のプロセスの間、図７及び図８に示されるように、第二キーボード１６の第二摺動部材２８は、第二横方向ガイドレール３０に沿って横方向に摺動し、次に、傾斜ガイドレール１８に沿って下向きに斜めに摺動する。同時に、第二キーボード１６の第一摺動部材２６は、第一キーボード１４の長手ガイドレール２４に沿って下向きに摺動する。換言すると、第一キーボード１４が図７に示されるような位置まで押されるとき、第二キーボード１６は、長手ガイドレール２４に沿う第一摺動部材２６の摺動、及び、第二横方向ガイドレール３０及び傾斜ガイドレール１８に沿う第二摺動部材２８の摺動を介して、図７に示されるような位置まで下向きに摺動し得る。引き続き、使用者は第一キーボード１４を押し続けることで、第一キーボード１４が図６に示されるような折畳み位置まで摺動するまで、第一キーボード１４をケーシング１２に対して内向きに摺動し得る。前記プロセスの間、第一キーボード１４の長手ガイドレール２４は、第二キーボード１６の第一摺動部材２６に最早当接しないので、第二キーボード１６は、第一キーボード１４と共に摺動するのを止め、次に、図６に示されるような位置に静止的に配置される。最後に、便利な収納又は運搬のために、第二キーボード１６及び第一キーボード１４を（図５に示されるように）ケーシング１２内に収容し得るように、使用者は、第一キーボード１４が第二キーボード１６の上に配置されるよう、第一キーボード１４を押し続け得る。
【００１６】
同様に、図２及び図３に示されるように、第一キーボード１４が図６に示されるような折畳み位置に配置されるとき、第一キーボード１４を折畳み位置により堅実に固定し得るよう、ケーシング１２の係合部分３４を対応する位置決め構造４０とも係合し得る。その上、入力装置１０の構造設計を単純化するために、第二横方向ガイドレール３０、摺動スロット３８、位置決め構造４０、案内部分３２、係合部分３４、及び、支持部分３５の配置を選択的に省略し得る。
【００１７】
その上、第二キーボード１６を駆動するのに第一キーボード１４を利用する設計は、前記実施態様に従って長手ガイドレール２４に当接する第一摺動部材２６を利用する設計に限定されない。換言すれば、第二キーボード１６上の他の構造と協働する第一キーボード１４上の１つの構造によって第二キーボード１６を第一キーボード１４と共に摺動させる全ての設計は、本考案の範囲内に入り得る。例えば、第一キーボード１４は、第一フック構造を代わりに有し、第二キーボード１６は、対応する第二フック構造を有し得る。従って、第一キーボード１４が、ケーシング１２に対して拡張位置に向かって摺動するとき、第一キーボード１４は、第二フック構造との第一フック構造の係合を介して、第二キーボード１６を駆動し得る。関連する設計に関する記載について、それは従来技術に一般的に見られ、ここでは省略される。
【００１８】
キーボードを折畳み可能にするためにキーボードの折畳み可能な区画の間に旋回的に接続されるヒンジを利用する従来技術と比較すると、本考案によって提供される入力装置は、第二キーボードを上向き又は下向きに摺動させるのに、第一キーボード及びケーシングのガイドレールに対する第二キーボードの摺動部材の摺動を利用する。従って、第一キーボードがケーシングに対して左向き及び右向きに摺動するとき、第二キーボードを、第二キーボードが第一キーボードと同じ平面で第一キーボードに接続される位置まで上向きに摺動させ、或いは、第二キーボードが第一キーボードの下に配置される位置まで下向きに摺動させ得る。そのような方法において、前記ガイドレールとの前記摺動部材の協働を介して、本考案は入力装置の構造設計を簡略化し得るのみならず、ヒンジの配置がキーボードの外観及び入力操作に影響を及ぼすという従来技術の問題も解決し得る。その上、使用中の入力装置の便利さを大いに向上し得るよう、前記単純な引張り操作及び押付け操作を介して、使用者は入力装置を便利に拡張し或いは折畳み得る。
【００１９】
当業者は、本考案の教示を維持しながら装置及び方法の数多くの修正及び変更を行い得ることを直ちに観察するであろう。従って、上記開示は、付属の請求項の境界によってのみ限定されるものと解釈されなければならない。
【符号の説明】
【００２０】
１０  入力装置  (input  device)
１２  ケーシング  (casing)
１４  第一キーボード  (first  keyboard)
１６  第二キーボード  (second  keyboard)
１８  傾斜ガイドレール  (oblique  guide  rail)
２０  内壁  (inner  wall)
２２  第一横方向ガイドレール  (first  transverse  guide  rail)
２４  長手ガイドレール  (longitudinal  guide  rail)
２６  第一摺動部材  (first  sliding  member)
２８  第二摺動部材  (second  sliding  member)
３０  第二横方向ガイドレール  (second  transverse  guide  rail)
３２  案内部分  (guide  portion)
３４  係合部分  (engaging  portion)
３５  支持部分  (support  portion)
３６  外表面  (outer  surface)
３８  摺動スロット  (sliding  slot)
４０  位置決め構造  (positioning  structure)
【図１】
0003177678.tif 000003
【図２】
0003177678.tif 000004
【図３】
0003177678.tif 000005
【図４】
0003177678.tif 000006
【図５】
0003177678.tif 000007
【図６】
0003177678.tif 000008
【図７】
0003177678.tif 000009
【図８】
0003177678.tif 000010
【手続補正書】
【提出日】平成24年6月7日(2012.6.7)
【手続補正１】
【補正対象書類名】実用新案登録請求の範囲
【補正対象項目名】全文
【補正方法】変更
【補正の内容】
【実用新案登録請求の範囲】
【請求項１】
ケーシングと、
該ケーシングに摺動可能に接続される第一キーボードと、
斜めに摺動可能な方法において前記ケーシングに接続され且つ前記第一キーボードに摺動可能に接続される第二キーボードとを含み、
前記第一キーボードが前記ケーシングに対して拡張位置に向かって摺動するとき、前記第一キーボードは、前記第二キーボードが前記第一キーボードに向かう方向に上向きに摺動するよう、前記第二キーボードを前記ケーシングに対して斜めに摺動させ、前記第一キーボードが前記ケーシングに対して折畳み位置に向かって摺動するとき、前記第一キーボードは、前記第二キーボードが前記第一キーボードから離れる方向に下向きに摺動するよう、前記第二キーボードを前記ケーシングに対して斜めに摺動させ、
前記ケーシングの少なくとも１つの内壁が、少なくとも１つの傾斜ガイドレールを含み、前記第二キーボードは、摺動部材を含み、該摺動部材の一端は、前記第二キーボードの側に固定され、前記摺動部材の他端は、前記傾斜ガイドレール内に摺動可能に配置され、前記第二キーボードは、前記ケーシングに対して斜めに摺動し、且つ、前記第一キーボードが前記第二キーボードを摺動させるときの前記傾斜ガイドレール内の前記摺動部材の摺動を介して、前記第一キーボードに向かう方向に上向きに摺動し、或いは、前記第一キーボードから離れる方向に下向きに摺動する、
入力装置。
【請求項２】
前記第一キーボードが前記折畳み位置から前記拡張位置まで摺動するとき、前記第二キーボードは、前記ケーシングに対して斜めに摺動し、且つ、前記第二キーボードが前記第一キーボードと同じ平面で前記第一キーボードに接続される位置まで前記第一キーボードに対して上向きに摺動する、請求項１に記載の入力装置。
【請求項３】
前記第一キーボードが前記拡張位置から前記折畳み位置まで摺動するとき、前記第二キーボードは、前記ケーシングに対して斜めに摺動し、且つ、前記第二キーボードが前記第一キーボードの下に配置される位置まで前記第一キーボードに対して下向きに摺動する、請求項１に記載の入力装置。
【請求項４】
前記ケーシングに対する前記第一キーボードの摺動方向は、前記第一キーボードに対する前記第二キーボードの摺動方向に対して実質的に垂直である、請求項１に記載の入力装置。
【請求項５】
前記第一キーボードは、第一フック構造を有し、前記第二キーボードは、第二フック構造を有し、前記第一キーボードは、前記第一キーボードが前記ケーシングに対して前記拡張位置に向かって摺動するとき、前記第一フック構造と前記第二フック構造との接続を介して前記第二キーボードを駆動する、請求項１に記載の入力装置。
【請求項６】
ケーシングと、
第一キーボードと、
第二キーボードとを含み、
前記ケーシングの少なくとも１つの内壁には、少なくとも１つの傾斜ガイドレールが形成され、
前記第一キーボードは、前記ケーシングに摺動可能に接続され、且つ、少なくとも１つの第一横方向ガイドレールと、長手ガイドレールとを有し、
前記第二キーボードは、
前記第二キーボードを前記第一キーボードに摺動可能に接続させるよう、前記第一横方向ガイドレール及び前記長手ガイドレールに沿って摺動するための第一摺動部材と、
斜めに摺動可能な方法において前記第二キーボードを前記ケーシングに接続させるために、前記傾斜ガイドレール内に摺動可能に配置される第二摺動部材とを含み、
前記第一キーボードが前記ケーシングに対して拡張位置に向かって摺動するとき、前記第一摺動部材が前記長手ガイドレールに沿って上向きに摺動するよう、前記第一摺動部材は、前記第二摺動部材を前記傾斜ガイドレールに沿って摺動させるために、前記第一横方向ガイドレールを通過して、前記長手ガイドレールに当接し、
前記第一キーボードが折畳み位置に向かって摺動するとき、前記第一摺動部材が前記長手ガイドレールに沿って下向きに摺動するよう、前記長手ガイドレールは、前記第二摺動部材を前記傾斜ガイドレールに沿って摺動させるために前記第一摺動部材に当接する、
入力装置。
【請求項７】
前記第一キーボードが前記折畳み位置から前記拡張位置まで摺動するとき、前記第一摺動部材は、前記第一横方向ガイドレールを通過し、次に、前記第二キーボードが前記第一キーボードと同じ平面で前記第一キーボードに接続される位置まで、前記長手ガイドレールに沿って上向きに摺動する、請求項６に記載の入力装置。
【請求項８】
前記第一キーボードが前記拡張位置から前記折畳み位置まで摺動するとき、前記第一摺動部材は、前記第二キーボードが前記第一キーボードの下に配置される位置まで、前記長手ガイドレールに沿って下向きに摺動する、請求項６に記載の入力装置。
【請求項９】
前記長手ガイドレールは、前記第一横方向ガイドレールに対して実質的に垂直である、請求項６に記載の入力装置。
【請求項１０】
第二横方向ガイドレールが前記ケーシングに更に形成され、前記傾斜ガイドレールと拡張的に連絡され、前記第二摺動部材は、前記傾斜ガイドレールを通過した後、前記第二横方向ガイドレールに沿って摺動する、請求項６に記載の入力装置。
【請求項１１】
前記第二横方向ガイドレールは、前記第一横方向ガイドレールと実質的に平行である、請求項１０に記載の入力装置。
【請求項１２】
前記ケーシングの前記内壁は、案内部分を有し、前記第一キーボードの外表面が、その上に形成される対応する摺動スロットを有し、前記案内部分は、前記ケーシングに対して摺動するよう前記第一キーボードを案内するために前記摺動スロットと協働させられる、請求項６に記載の入力装置。
【請求項１３】
前記ケーシングの前記内壁は、前記案内部分に形成される係合部分を有し、少なくとも１つの対応する位置決め構造が、前記第一キーボードの前記摺動スロット内に形成され、前記係合部分は、前記ケーシングに対する前記第一キー１２に記載の入力装置。
【請求項１４】
前記第一キーボードが前記拡張位置に配置されるとき、前記係合部分は、前記第一キーボードを前記拡張位置で固定するために、前記位置決め構造と係合される、請求項１３に記載の入力装置。
【請求項１５】
前記第一キーボードが前記折畳み位置に配置されるとき、前記係合部分は、前記第一キーボードを前記折畳み位置で固定するために、前記位置決め構造と係合される、請求項１３に記載の入力装置。
【請求項１６】
前記係合部分は、突出する先端構造であり、前記位置決め構造は、対応する窪んだ孔構造である、請求項１３に記載の入力装置。
【請求項１７】
前記ケーシングは、前記第一キーボードを支持するための支持部分を有する、請求項６に記載の入力装置。